(57)【要約】【課題】簡単な構成で、表示部に表示される情報を容易に変更することができる情報表示装置を提供すること。【解決手段】情報表示装置１は、道路標識または道路交通に関する情報を表示し、道路１００近傍に設置して使用されるものである。この情報表示装置１は、前記情報を表示可能な表示部４と、道路１００にほぼ鉛直な姿勢で設置され、外形形状が柱状をなす柱状部７と、柱状部７の上端部７２に設けられ、表示部４を支持する支持部８とを有する支柱３と、前記情報を画像Ｍとして投影する投影部５と、投影された画像Ｍを表示部４まで導く光学系とを備えている。このような構成の情報表示装置１では、画像Ｍは、投影部５から投影され、光学系を介して表示部４に表示される。【選択図】図１
2007279857.tif 000002
【特許請求の範囲】
【請求項１】
道路標識または道路交通に関する情報を表示し、道路近傍に設置して使用される情報表示装置であって、
前記情報を表示可能な表示部と、
前記道路にほぼ鉛直な姿勢で設置され、外形形状が柱状をなす柱状部と、該柱状部の上端部に設けられ、前記表示部を支持する支持部とを有する支柱と、
前記情報を画像として投影する投影部と、
前記投影された画像を前記表示部まで導く光学系とを備え、
前記画像は、前記投影部から投影され、前記光学系を介して前記表示部に表示されることを特徴とする情報表示装置。
【請求項２】
前記投影部は、情報伝達手段から伝達された前記情報を受信し、該受信された情報を前記画像として投影する請求項１に記載の情報表示装置。
【請求項３】
前記表示部に表示される前記画像は、それが表示されたとき、平面視でその全体形状がほぼ長方形または正方形をなすように補正されている請求項１または２に記載の情報表示装置。
【請求項４】
前記表示部は、その表示面が凹状に湾曲する部分を有する請求項１ないし３のいずれかに記載の情報表示装置。
【請求項５】
前記投影部は、前記柱状部の下端部近傍に設置されている請求項１ないし４のいずれかに記載の情報表示装置。
【請求項６】
前記柱状部には、中空部が形成されており、該中空部を前記投影部から投影された前記画像が通過する請求項５に記載の情報表示装置。
【請求項７】
前記柱状部の内周面には、光の反射を防止する反射防止処理が施されている請求項６に記載の情報表示装置。
【請求項８】
前記光学系は、前記柱状部の前記中空部内に設置され、前記投影部から投影された前記画像を集光して平行光として出射する投影レンズと、該投影レンズより前記平行光の進行方向前方に位置し、前記平行光を反射する第１のミラーと、該第１のミラーで反射した平行光を前記表示部へ拡大して反射する第２のミラーとを有する請求項６または７に記載の情報表示装置。
【請求項９】
前記支持部は、前記柱状部に対して前記表示部を回動可能に支持するものである請求項１ないし８のいずれかに記載の情報表示装置。
【請求項１０】
前記表示部の少なくとも上方を覆うフード部をさらに備える請求項１ないし９のいずれかに記載の情報表示装置。
【請求項１１】
前記表示部に表示される前記画像の表示領域が可変である請求項１ないし１０のいずれかに記載の情報表示装置。
【請求項１２】
前記画像と該画像の鏡像とを切り替えて前記表示部に表示可能に構成されている請求項１ないし１１のいずれかに記載の情報表示装置。
【発明の詳細な説明】
【技術分野】
【０００１】
本発明は、道路標識または道路交通に関する情報を表示し、道路近傍に設置して使用される情報表示装置に関する。
【背景技術】
【０００２】
従来から、道路標識または道路交通に関する情報（以下、単に「情報」という）を表示し、道路近傍に設置して使用される情報表示装置が知られている（例えば、特許文献１参照）。
特許文献１に記載の情報表示装置は、多数のＬＥＤ（発光ダイオード）が配置された表示部（標示部）を有するものである。表示部は、一の方向の矢印を示すように配置された第１のＬＥＤ群と、前記一の方向と反対の方向（他の方向）の矢印を示すように配置された第２のＬＥＤ群とで構成されている。このような情報表示装置では、第１のＬＥＤ群と第２のＬＥＤ群との点灯状態を制御することにより、表示部が「一の方向の矢印」を表示したり、「他の方向の矢印」を表示したりすることができる。
【０００３】
しかしながら、特許文献１に記載の情報表示装置では、各ＬＥＤの配置が固定されているため、表示部に表示される情報に限りがあった、すなわち、前記２種類の矢印以外の情報を表示することは困難であった。
また、特許文献１の情報表示装置では、道路通行者に対する表示部の視認性を向上させるために、通常、表示部が地上から例えば５〜１０ｍ上方に設置される。
しかしながら、この情報表示装置では、表示部を構成する部品が多数存在するため、その大きさや重量が、例えば一般に言われる道路標識（金属板に情報を印刷したもの）に比べて増大したものとなり、前述したように上方に位置する表示部の修理、すなわち、故障時の、故障した表示部と未使用の表示部との交換が煩わしかった。
【０００４】
【特許文献１】特開平９−１４７２９３号公報
【発明の開示】
【発明が解決しようとする課題】
【０００５】
本発明の目的は、簡単な構成で、表示部に表示される情報を容易に変更することができる情報表示装置を提供することを目的とする。
【課題を解決するための手段】
【０００６】
このような目的は、下記の本発明により達成される。
本発明の情報表示装置は、道路標識または道路交通に関する情報を表示し、道路近傍に設置して使用される情報表示装置であって、
前記情報を表示可能な表示部と、
前記道路にほぼ鉛直な姿勢で設置され、外形形状が柱状をなす柱状部と、該柱状部の上端部に設けられ、前記表示部を支持する支持部とを有する支柱と、
前記情報を画像として投影する投影部と、
前記投影された画像を前記表示部まで導く光学系とを備え、
前記画像は、前記投影部から投影され、前記光学系を介して前記表示部に表示されることを特徴とする。
これにより、簡単な構成で、表示部に表示される情報を容易に変更することができる。
【０００７】
本発明の情報表示装置では、前記投影部は、情報伝達手段から伝達された前記情報を受信し、該受信された情報を前記画像として投影することが好ましい。
これにより、情報伝達手段を介して、時々刻々と変化する道路の状態（例えば道路渋滞等）に適した情報を受信することができ、当該受信された情報を画像として確実に投影することができる。
【０００８】
本発明の情報表示装置では、前記表示部に表示される前記画像は、それが表示されたとき、平面視でその全体形状がほぼ長方形または正方形をなすように補正されていることが好ましい。
これにより、歪が抑制または防止された画像を得ることができ、よって、当該画像の道路通行者に対する視認性が向上する。
【０００９】
本発明の情報表示装置では、前記表示部は、その表示面が凹状に湾曲する部分を有することが好ましい。
これにより、歪が抑制または防止された画像を得ることができ、よって、当該画像の道路通行者に対する視認性が向上する。
本発明の情報表示装置では、前記投影部は、前記柱状部の下端部近傍に設置されていることが好ましい。
これにより、投影部が道路近傍に位置することとなり、よって、例えば投影部が故障した場合、当該故障した投影部と未使用の投影部との交換を容易に行う、すなわち、修理を容易に行うことができる。
【００１０】
本発明の情報表示装置では、前記柱状部には、中空部が形成されており、該中空部を前記投影部から投影された前記画像が通過することが好ましい。
これにより、中空部が、光を表示部まで導く導光路として機能する。
本発明の情報表示装置では、前記柱状部の内周面には、光の反射を防止する反射防止処理が施されていることが好ましい。
これにより、柱状部の中空内で、それを通過する光が反射するのを確実に防止することができ、よって、表示部で鮮明な画像を表示することができる。
【００１１】
本発明の情報表示装置では、前記光学系は、前記柱状部の前記中空部内に設置され、前記投影部から投影された前記画像を集光して平行光として出射する投影レンズと、該投影レンズより前記平行光の進行方向前方に位置し、前記平行光を反射する第１のミラーと、該第１のミラーで反射した平行光を前記表示部へ拡大して反射する第２のミラーとを有することが好ましい。
これにより、投影部から投影された画像を表示部まで確実に導くことができる。
【００１２】
本発明の情報表示装置では、前記支持部は、前記柱状部に対して前記表示部を回動可能に支持するものであることが好ましい。
表示部に表示された画像が例えば太陽光からの影響により視認し難くなった（視認性が低下した）場合、表示部を回動させることにより、画像の視認性を向上させることができる。
【００１３】
本発明の情報表示装置では、前記表示部の少なくとも上方を覆うフード部をさらに備えることが好ましい。
これにより、表示部に表示された画像が太陽光による影響（例えば画像の視認性の低下）を受けるのを抑制または防止することができ、よって、画像の視認性を向上させることができる。
【００１４】
本発明の情報表示装置では、前記表示部に表示される前記画像の表示領域が可変であることが好ましい。
これにより、道路通行者に対して注意を促したい情報（画像）を強調して表示することができる。
本発明の情報表示装置では、前記画像と該画像の鏡像とを切り替えて前記表示部に表示可能に構成されていることが好ましい。
これにより、例えば道路を通行する通行者の進行方向（順方向または逆方向）に応じた画像を表示することができる。
【発明を実施するための最良の形態】
【００１５】
以下、本発明の情報表示装置を添付図面に示す好適な実施形態に基づいて詳細に説明する。
＜第１実施形態＞
図１は、本発明の情報表示装置の第１実施形態を示す斜視図、図２は、図１に示す情報表示装置を矢印Ａ方向から見た部分縦断面図（正面図）、図３は、図１に示す情報表示装置を矢印Ｂ方向から見た部分縦断面図（平面図）、図４は、図１に示す情報表示装置を矢印Ｃ方向から見た部分縦断面図（側面図）である。なお、以下では、説明の都合上、図１、図２および図４中の上側を「上」、下側を「下」と言う。また、図１中の左右方向を「ｘ軸方向」、上下方向を「ｚ軸方向」、ｘ軸方向およびｚ軸方向に垂直な方向を「ｙ軸方向」という。
【００１６】
各図に示す情報表示装置（以下、単に「表示装置」という）１は、道路標識または道路交通に関する情報を画像Ｍとして表示し、例えば車両２００が通過する道路１００近傍に設置して使用される。
「道路標識に関する情報」としては、特に限定されないが、例えば、車両通行止めや最高速度等の規制を表す規制標識、十字路、踏切、横風等の運転上注意が必要な道路状況を表す警戒標識、横断歩道や停止線等の位置を表す指示標識、前記規制標識、前記警戒標識、前記指示標識等の内容を具体的に説明した補助標識等が挙げられる。また、「道路交通に関する情報」としては、特に限定されないが、例えば、渋滞情報、道路工事情報、故障車両や落下物の存在の情報、ＥＴＣ使用時の高速料金、駐車場の駐車料金や駐車時間等が挙げられる。
【００１７】
また、以下、道路標識または道路交通に関する情報を単に「情報」という。
表示装置１は、情報を画像Ｍとして投影する投影部５と、画像Ｍを表示可能な表示部（スクリーン）４と、表示部４を支持する支柱３と、投影部５から投影された画像Ｍを表示部４まで導く光学系１４とを有している。以下、各部の構成について説明する。
投影部５は、プロジェクタ（例えば特開平４−１４７１２０号公報参照）である。
この投影部５は、それを収納するハウジング２に収納されている。本実施形態では、投影部５は、ハウジング２に収納された状態で、支柱３（柱状部７）の下端部７１近傍に設置されている、すなわち、道路１００の地下に埋設されている（図１および図２参照）。これにより、投影部５が地表付近（道路１００近傍）に位置することとなり、よって、例えば投影部５が故障した場合、当該故障した投影部５と未使用の投影部５との交換を容易に行うことができる。
【００１８】
投影部５は、例えば光ファイバで構成された情報伝達手段６に接続されている。この情報伝達手段６は、表示装置１に情報を提供する例えばテレビ局、警察署等に接続されている。これにより、情報伝達手段６を介して、時々刻々と変化する道路１００の状態（例えば道路渋滞等）に適した情報を受信することができ、当該受信された情報を画像として確実に投影することができる。
【００１９】
支柱３は、ハウジング２の上部２１側に設置された柱状部７と、柱状部７の上端部７２に設けられた支持部８とを有している。
柱状部７は、例えば金属材料で構成された、外形形状が柱状をなすものである。この柱状部７は、道路１００に対して、ほぼ鉛直な（軸線がｚ軸方向に平行な）姿勢で設置されている。
【００２０】
支持部８は、表示部４を支持する部位である。この支持部８は、柱状部７の上端部７２からｙ軸負方向に延在する支持部本体８１と、支持部本体８１と表示部４とを連結する４本の連結部８２とを有している。支持部本体８１は、柱状部７とほぼ同様に、例えば金属材料で構成された、外形形状が柱状をなすものである。また、各連結部８２は、支持部本体８１からｘ軸負方向に突出したものであり、支持部本体８１の長手方向に沿って、互いに間隔をおいて設置されている。
【００２１】
図２〜図４に示すように、柱状部７には中空部７３が形成されており、支持部本体８１には中空部８１１が形成されている。また、中空部７３と中空部８１１とは、互いに連通している。このような中空部７３および中空部８１１は、それぞれ、投影部５から投影された光Ｌ（画像Ｍ）が通過する通過路（光路）として機能する。
また、柱状部７の内周面７４および支持部本体８１の内周面８１２には、光Ｌの反射を防止する反射防止処理が施されているのが好ましい。これにより、柱状部７の中空部７３および支持部本体８１の中空部８１１内で、それらを通過する光Ｌが反射するのを確実に防止することができ、よって、表示部４で鮮明な画像Ｍを表示することができる。なお、反射防止処理としては、特に限定されないが、例えば、黒、濃紺、濃緑等の暗色の塗料等の塗布等が挙げられる。
【００２２】
また、支持部８に支持された表示部４は、支持部８（支持部本体８１）を介して柱状部７に対してｙ軸回りに回動可能となっている。表示部４に表示された画像Ｍが例えば太陽光からの影響により視認し難くなった（視認性が低下した）場合、表示部４を回動させて当該表示部４の姿勢を変位させることにより、画像Ｍの視認性を向上させることができる。なお、表示部４の回動は、例えばモータ駆動によるものが挙げられる。
【００２３】
支持部８には、平板状の表示部４が支持されている。この表示部４は、フレネルレンズやマイクロレンズ等の複数のレンズ基板で構成されたものであり、ｘ軸方向に対して垂直な姿勢で設置されている。これにより、情報を画像Ｍとして表示することができ、よって、当該画像Ｍの道路通行者（例えば車両２００の運転者）に対する視認性が向上する。
図２〜図４に示すように、光学系１４は、投影部５側に設置された投影レンズ１０と、２つの第１のミラー１１ａおよび１１ｂと、１つの第２のミラー１３とを有している。
【００２４】
投影レンズ１０は、凸レンズで構成されたものである。また、投影レンズ１０は、柱状部７の下端部７１の中空部７３内に設置されている。このような投影レンズ１０は、投影部５から投影された光Ｌ（画像Ｍ）を集光して平行光として出射する。
第１のミラー１１ａは、その鏡面が平面状をなすものである。また、第１のミラー１１ａは、柱状部７の上端部７２の中空部７３内に設置されている。図２に示すように、第１のミラー１１ａの鏡面の法線は、ｙ軸方向およびｚ軸方向のそれぞれに対して４５度の傾斜角度をなしている。このような第１のミラー１１ａは、投影レンズ１０で平行光となった、ｚ軸正方向に直進する光Ｌをｙ軸負方向（第１のミラー１１ｂ側）に反射する。
【００２５】
第１のミラー１１ｂは、第１のミラー１１ａと同様に、その鏡面が平面状をなすものである。また、第１のミラー１１ｂは、支持部本体８１の中央部８１３の中空部８１１内に設置されている。図２に示すように、第１のミラー１１ｂの鏡面の法線は、第１のミラー１１ａの鏡面の法線に対して９０度の傾斜角度をなしている。このような第１のミラー１１ｂは、第１のミラー１１ａで反射してｙ軸負方向に直進する光Ｌ（平行光）をｘ軸正方向（第２のミラー１３側）に反射する。
【００２６】
図３および図４に示すように、第２のミラー１３は、湾曲凸状をなす鏡面を有するものである。第２のミラー１３は、第１のミラー１１ｂに対してｘ軸正方向に位置している。また、第２のミラー１３は、支持部本体８１の中央部８１３に形成されたカバー９内に設置されている。このような第２のミラー１３は、第１のミラー１１ｂで反射してｘ軸正方向に直進する光Ｌを表示部４へ拡大して反射する。
【００２７】
このような構成の光学系１４により、投影部５から投影された光Ｌを表示部４まで確実に導くことができる。
また、表示装置１では、光学系１４の各ミラーで画像Ｍが上下反転および左右反転されるが、このような反転を考慮して、表示部４に表示される画像Ｍの上下左右が正常となるように、投影部５から画像Ｍを投影するよう構成されている。
【００２８】
また、表示装置１では、画像Ｍは、表示部４に表示されたとき、平面視でその全体形状がほぼ長方形（または正方形）をなすように補正されている（図２参照）。これにより、歪が抑制または防止された画像Ｍを得ることができ、よって、当該画像Ｍの道路通行者に対する視認性が向上する。なお、画像Ｍの補正方法として、本実施形態の表示装置１では、投影部５により画像Ｍに対して台形補正を行うよう構成されている。
【００２９】
次に、表示装置１の作動について説明する。
情報伝達手段６から伝達された情報は、まず、投影部５に入力される。この入力された情報は、画像Ｍとして、投影部５からｚ軸正方向に向けて投影される。
投影部５から投影された光Ｌ（画像Ｍ）は、前述したように、第１のミラー１１ａおよび１１ｂで順次反射し、さらに、第２のミラー１３で反射する。第２のミラー１３で反射した光Ｌは、画像Ｍとして表示部４に表示される。
【００３０】
このような構成の表示装置１では、前述した投影部５としてプロジェクタを用いている。これにより、表示部４に表示される画像Ｍ（情報）を容易に変更することができる。また、表示装置１では、投影部５に従来の構成のプロジェクタを用いることができ、よって、当該投影部５が簡単な構成ものとなる。
また、表示装置１では、投影部５と表示部４とが互いに離間した位置関係となっている、すなわち、投影部５が支柱３の下側に位置し、表示部４が支柱３の上側に位置している。これにより、投影部５および表示部４をそれぞれ独立して修理する（交換する）ことができ、よって、その作業を容易かつ安価に行うことができる。
【００３１】
＜第２実施形態＞
図５は、本発明の情報表示装置の第２実施形態を示す平面図である。
以下、この図を参照して本発明の情報表示装置の第２実施形態について説明するが、前述した実施形態との相違点を中心に説明し、同様の事項はその説明を省略する。
本実施形態は、表示部の形状が異なること以外は前記第１実施形態と同様である。
【００３２】
図５に示す表示装置１Ａの表示部４Ａは、その下端部４２に、表示面が凹状に湾曲する湾曲部４１を有している。すなわち、表示部４Ａは、その上端部４３から下端部４２に向かって表示面が徐々に湾曲したものとなっている。
このような表示部４Ａにより、画像Ｍは、表示部４に表示されたとき、平面視でその全体形状が確実にほぼ長方形（または正方形）をなす。これにより、歪が抑制または防止された画像Ｍを得ることができ、よって、当該画像Ｍの道路通行者に対する視認性が向上する。また、前記第１実施形態の表示装置１では画像Ｍに対して台形補正を行っていたが、この補正を行うのを省略することができる。
【００３３】
＜第３実施形態＞
図６は、本発明の情報表示装置の第３実施形態を示す側面図である。
以下、この図を参照して本発明の情報表示装置の第３実施形態について説明するが、前述した実施形態との相違点を中心に説明し、同様の事項はその説明を省略する。
本実施形態は、表示装置がフード部をさらに備えること以外は前記第１実施形態と同様である。
【００３４】
図６に示す表示装置１Ｂは、フード部（遮光部）２０をさらに備えている。フード部２０は、天板２０１と、天板２０１にその下方に設置された脚部２０２とで構成されている。天板２０１は、そのほとんどが水平な姿勢となっているが、図６の構成のように一部が湾曲していてもよい。脚部２０２は、支持部本体８１に対して天板２０１を支持する部位である。
このようなフード部２０により、表示部４の上方を確実に覆うことができる。これにより、表示部４に表示された画像Ｍが太陽光による影響（例えば画像Ｍの視認性の低下）を受けるのを抑制または防止することができ、よって、画像Ｍの視認性を向上させることができる。
【００３５】
＜第４実施形態＞
図７は、本発明の情報表示装置の第４実施形態を示す正面図である。
以下、この図を参照して本発明の情報表示装置の第４実施形態について説明するが、前述した実施形態との相違点を中心に説明し、同様の事項はその説明を省略する。
本実施形態は、表示部に表示される画像の表示領域が可変であること以外は前記第１実施形態と同様である。
【００３６】
図７に示す表示装置１Ｃは、表示部４に表示される画像Ｍの表示領域の大きさを変更することができるよう構成されている。例えば、画像Ｍで表示する情報量に応じて、画像Ｍの表示領域を図７（ａ）に示す状態と、図７（ｂ）に示す状態とに変更する。これにより、例えば、道路通行者に対して注意を促したい情報（画像Ｍ）を強調して表示することができる。
【００３７】
なお、画像Ｍの表示領域を可変とする方法としては、特に限定されないが、例えば、投影部５の制御による方法、光Ｌの光路（柱状部７の中空部７３）の途中にズームレンズを設置する方法が挙げられる。
また、表示部４における、表示領域が小さくなった画像Ｍの表示箇所は、図７（ｂ）の構成では表示部４のほぼ中央部４４であるが、これに限定されず、例えば、上端部４３または下端部４４であってもよい。
【００３８】
＜第５実施形態＞
図８は、本発明の情報表示装置（第５実施形態）の使用状態の一例を示す平面図である。
以下、この図を参照して本発明の情報表示装置の第５実施形態について説明するが、前述した実施形態との相違点を中心に説明し、同様の事項はその説明を省略する。
【００３９】
本実施形態は、表示装置が画像と当該画像の鏡像とを切り替えて表示部に表示可能に構成されていること以外は前記第１実施形態と同様である。
表示装置１Ｄは、画像Ｍと画像Ｍの鏡像Ｍ’とを切り替えて表示部４に表示可能に構成されたものである。ここで、「画像Ｍの鏡像」とは、画像Ｍの左右を反転させた画像である。
【００４０】
図８では、５つの道路１００ａ、１００ｂ、１００ｃ、１００ｄ、１００ｅが図示されている。各道路１００ａ〜１００ｅに、それぞれ、表示装置１Ｄが設置されている。また、本実施形態では、道路１００ａおよび１００ｂを通過する車両２００は、矢印Ｄ方向（順方向）に走行する。また、道路１００ｄおよび１００ｅを通過する車両２００は、矢印Ｅ方向（逆方向）に走行する。また、道路１００ｃでは、例えば時間帯による交通量の増減に応じて通過可能な車両２００の走行方向が、矢印Ｄ方向と矢印Ｅ方向とに切り替わる。
【００４１】
このように道路１００ｃに表示装置１Ｄが設置されている場合、車両２００が矢印Ｄ方向に走行するときには表示部４に画像Ｍを表示し、車両２００が矢印Ｅ方向に走行するときには表示部４に鏡像Ｍ’を表示することができる。
なお、鏡像Ｍ’を得る方法としては、特に限定されないが、例えば、光学系１４におけるミラーの設置数や設置箇所を適宜変更する方法、投影部５の制御による方法等が挙げられる。
【００４２】
以上、本発明の情報表示装置を図示の実施形態について説明したが、本発明は、これに限定されるものではなく、情報表示装置を構成する各部は、同様の機能を発揮し得る任意の構成のものと置換することができる。また、任意の構成物が付加されていてもよい。
また、本発明の情報表示装置は、前記各実施形態のうちの、任意の２以上の構成（特徴）を組み合わせたものであってもよい。
【００４３】
また、投影部は、地下に埋設されているが、これに限定されず、例えば、道路上に設置されていてもよい。
また、投影部は、前記各実施形態では有線による遠隔操作されるものであるが、これに限定されず、無線により遠隔操作されるものであってもよい。
また、投影部は、情報伝達手段からの情報を画像として投影するものであるのに限定されず、例えば、予め複数の情報が記憶されたハードディスクやＥＥＰＲＯＭ等の記憶手段を有し、当該記憶手段の各情報を画像として投影するものであってもよい。また、投影部は、情報伝達手段からの情報と前記記憶手段からの情報とを適宜選択し、選択された情報を画像として投影するよう構成されたものであってもよい。
【００４４】
また、投影部は、画像の輝度を変えることができるよう構成されていてもよい。これにより、表示部に表示された画像が例えば太陽光からの影響により視認し難くなった（視認性が低下した）場合、この場合の画像より輝度を高く変更し、画像の視認性を向上させることができる。
また、支持部は、柱状部に対して表示部をｙ軸回りに回動可能に支持するよう構成されているのに限定されず、例えば表示部をｚ軸回りに回動可能に支持するよう構成されていてもよいし、表示部をｙ軸回りおよびｚ軸回りにそれぞれ回動可能に支持するよう構成されていてもよい。
【００４５】
また、表示部は、多数の発光ダイオードが配置された部位を有してもよい。例えば、この部位を、内容が一定の（不変の）情報を表示する部位として用いることができる。
また、本発明の表示装置は、信号機にも適用することができる。例えば、青色、黄色および赤色の３灯以外に青色または黄色の矢印が表示される矢印式信号機に適用し、前記矢印の画像を表示してもよい。このように画像を補助的に表示してもよい。
【図面の簡単な説明】
【００４６】
【図１】本発明の情報表示装置の第１実施形態を示す斜視図である。
【図２】図１に示す情報表示装置を矢印Ａ方向から見た部分縦断面図（正面図）である。
【図３】図１に示す情報表示装置を矢印Ｂ方向から見た部分縦断面図（平面図）である。
【図４】図１に示す情報表示装置を矢印Ｃ方向から見た部分縦断面図（側面図）である。
【図５】本発明の情報表示装置の第２実施形態を示す平面図である。
【図６】本発明の情報表示装置の第３実施形態を示す側面図である。
【図７】本発明の情報表示装置の第４実施形態を示す正面図である。
【図８】本発明の情報表示装置（第５実施形態）の使用状態の一例を示す平面図である。
【符号の説明】
【００４７】
１、１Ａ、１Ｂ、１Ｃ、１Ｄ……情報表示装置（表示装置）  ２……ハウジング  ２１……上部  ３……支柱  ４、４Ａ……表示部（スクリーン）  ４１……湾曲部  ４２……下端部  ４３……上端部  ４４……中央部  ５……投影部  ６……情報伝達手段  ７……柱状部  ７１……下端部  ７２……上端部  ７３……中空部  ７４……内周面  ８……支持部  ８１……支持部本体  ８１１……中空部  ８１２……内周面  ８１３……中央部  ８２……連結部  ９……カバー  １０……投影レンズ  １１ａ、１１ｂ……第１のミラー  １３……第２のミラー  １４……光学系  ２０……フード部（遮光部）  ２０１……天板  ２０２……脚部  １００、１００ａ、１００ｂ、１００ｃ、１００ｄ、１００ｅ……道路  ２００……車両  Ｍ……画像  Ｍ’……鏡像
【図１】
2007279857.tif 000003
【図２】
2007279857.tif 000004
【図３】
2007279857.tif 000005
【図４】
2007279857.tif 000006
【図５】
2007279857.tif 000007
【図６】
2007279857.tif 000008
【図７】
2007279857.tif 000009
【図８】
2007279857.tif 000010